(57)【要約】【課題】本発明はデュアルモード自撮りライトを開示した。【解決手段】ライトと前記ライトの下方に設置されるサポート柱を含み、前記ライトの中には揺動空間と撮影空間が設置され、前記ライトの左側には四つのライト板が分布され、前記撮影空間の中には挟み装置が設置される；本発明のデュアルモード自撮りライトは全体構造がもっと合理で巧妙であり、使いやすく、撮影するときの単方向光補給を実現でき、またリング形光補給を行うこともでき、二つのモードを自由に切換し、機能性が強く、設備が単方向光補給を行うとき、光補給の角度を自動的に調整でき、撮影がもっと便利になり、使用の実用性を高め、高い使用と普及の価値がある。【選択図】図１
2020154272.tif 000002
【特許請求の範囲】
【請求項１】
ライトと前記ライトの下方に設置されるサポート柱を含み、前記ライトの中には揺動空間と撮影空間が設置され、前記ライトの左側には四つのライト板が分布され、前記撮影空間の中には挟み装置が設置され、前記撮影空間の上下前後には四つのスライド溝が対称的に設置され、前記スライド溝の端壁にはラックが固定的に設置され、前記スライド溝の中にはスライド枠がスライドできるように設置され、前記スライド枠には伸展装置が設置され、前記撮影空間の右側端壁の中には伝動空間が設置され、前記伝動空間の右側端壁の中には動力空間が設置され、前記動力空間の右側端壁の中には切換空間が設置され、前記切換空間の中には動力切換装置が設置され、前記切換空間の右側端壁の中にはスライド空間が連通設置され、前記スライド空間の頂壁の中にはカム空間が設置され、前記揺動空間の中には揺動装置が設置されることを特徴とするデュアルモード自撮りライト。
【請求項２】
前記揺動装置は前記揺動空間と前記切換空間との間には回転できるように設置されるウォームを含み、前記切換空間の中にある前記ウォームの外表面には第一歯車が固定的に設置され、前記揺動空間の中には第一回転軸が回転できるように設置され、前記第一回転軸の外表面には前記ウォームと噛合するウォームホイールと、前記ウォームホイールの前側に位置する回転棒とが固定的に設置され、前記回転棒と、前記サポート柱の頂壁に固定的に設置される固定棒の末端とがヒンジにより連結され、前記固定棒の末端には前記ライトの底壁とヒンジにより連結されるヒンジ棒がヒンジにより連結されることを特徴とする請求項１に記載のデュアルモード自撮りライト。
【請求項３】
前記伸展装置は前記撮影空間と前記切換空間との間には前記伝動空間を貫通する回転スリーブが回転できるように設置され、前記伝動空間の中にある前記回転スリーブの外表面には第一傘歯車が固定的に設置され、前記伝動空間の中にある前記回転スリーブの外表面には第二歯車が固定的に設置され、前記伝動空間の上下左右端壁の中には前記ライトの端壁を貫通する四角形穴が設置され、前記四角形穴の中には前記スライド枠と固定的に連結されるスライドバーがスライドできるように設置され、前記スライドバーの中には第一ねじ穴が設置され、前記第一ねじ穴の中には第一ねじボルトがねじ山により係合し連結され、前記第一ねじボルトが回転ベアリングにより前記四角形穴の中に設置され、前記第一ねじボルトの末端には前記第一傘歯車と噛合する第二傘歯車が固定的に設置され、前記スライド枠の中には歯車溝が設置され、前記歯車溝の中にはねじ山スリーブが回転できるように設置され、前記ねじ山スリーブの外表面には前記ラックと噛合する第三歯車が固定的に設置され、前記ねじ山スリーブの中には左右を貫通する第二ねじ穴が設置され、前記第二ねじ穴の中には前記ライト板の右側端壁とヒンジにより連結される第二ねじボルトがねじ山により係合し連結され、前記スライド枠と前記ライト板との間には連結棒がヒンジにより連結されることを特徴とする請求項１に記載のデュアルモード自撮りライト。
【請求項４】
前記挟み装置は前記撮影空間の中に前後に対称的に設置される挟みブロックを含み、前記挟みブロックと前記撮影空間の端壁との間には押圧ばねが弾力的に設置され、前記回転スリーブの中には抜き穴が設置され、前記抜き穴の中には第二回転軸が回転できるように設置され、前記第二回転軸の左側末端が前記撮影空間に插入され、またその末端には両面カムが固定的に設置され、前記第二回転軸の右側末端が前記切換空間に插入され、またその末端には第四歯車が固定的に設置されることを特徴とする請求項１に記載のデュアルモード自撮りライト。
【請求項５】
前記動力切換装置は前記スライド空間の中にスライドできるように設置されるスライドブロックを含み、前記スライドブロックの左側端壁の中には第一モータが固定的に設置され、前記第一モータの出力軸の左側末端には前記第一歯車と噛合する第五歯車が固定的に設置され、前記スライドブロックと前記スライド空間の右側端壁との間にはリセット装置が設置され、前記スライド空間と前記カム空間との間には前記スライドブロックと固定的に連結されるスライドバーが設置され、前記動力空間の右側端壁の中には第二モータが固定的に設置され、前記第二モータの出力軸の左向き延伸末端には前記第二歯車と噛合する第六歯車が固定的に設置され、前記第二モータの出力軸の右向き延伸末端がカム空間に插入され、またその末端にはカムが固定的に設置されることを特徴とする請求項１に記載のデュアルモード自撮りライト。
【発明の詳細な説明】
【技術分野】
【０００１】
本発明は撮影分野を取り上げて、具体的にはデュアルモード自撮りライトである。
【背景技術】
【０００２】
撮影シーンでは、背景の効果が理想的ではなく、または望んでいるものではない場合が多く、このとき、私たちはフラッシュを利用し背景を排除することができ、なぜなら、フラッシュ撮影するとき、シャッターのスピードが速く、フラッシュ投写範囲以外の背景が露出不足のため表現できなくなり、電灯の下で撮影すると、写真が黄色いや赤いなどの温かい色に見えやすく、タングステンランプの色温度が低いため、フラッシュが追加されると、色温度を有効的に調整し、撮影されたものの色を正確に復元でき、従来の自撮りライトは単方向の光補給またはリング形の光補給しか提供できなく、光補給の効果が撮影環境によってモード調整できなく、撮影する人は複数の光補給設備を購入し携帯する必要があり、従って、上記問題を改善するために、単方向の光補給だけではなく、リング形の光補給も提供できる整備を設計する必要がある。
【先行技術文献】
【特許文献】
【０００３】
【特許文献１】中国特許出願公開第１０５９３８２８８号明細書
【発明の概要】
【発明が解決しようとする課題】
【０００４】
本発明はデュアルモード自撮りライトを提供し、上記現在の技術中の問題を解決し、設備の実用性を高めることを目的とする。
【課題を解決するための手段】
【０００５】
本発明のデュアルモード自撮りライトは、ライトと前記ライトの下方に設置されるサポート柱を含み、前記ライトの中には揺動空間と撮影空間が設置され、前記ライトの左側には四つのライト板が分布され、前記撮影空間の中には挟み装置が設置され、前記撮影空間の上下前後には四つのスライド溝が対称的に設置され、前記スライド溝の端壁にはラックが固定的に設置され、前記スライド溝の中にはスライド枠がスライドできるように設置され、前記スライド枠には伸展装置が設置され、前記撮影空間の右側端壁の中には伝動空間が設置され、前記伝動空間の右側端壁の中には動力空間が設置され、前記動力空間の右側端壁の中には切換空間が設置され、前記切換空間の中には動力切換装置が設置され、前記切換空間の右側端壁の中にはスライド空間が連通設置され、前記スライド空間の頂壁の中にはカム空間が設置され、前記揺動空間の中には揺動装置が設置される。
【０００６】
前記揺動装置は前記揺動空間と前記切換空間との間には回転できるように設置されるウォームを含み、前記切換空間の中にある前記ウォームの外表面には第一歯車が固定的に設置され、前記揺動空間の中には第一回転軸が回転できるように設置され、前記第一回転軸の外表面には前記ウォームと噛合するウォームホイールと、前記ウォームホイールの前側に位置する回転棒とが固定的に設置され、前記回転棒と、前記サポート柱の頂壁に固定的に設置される固定棒の末端とがヒンジにより連結され、前記固定棒の末端には前記ライトの底壁とヒンジにより連結されるヒンジ棒がヒンジにより連結される。
【０００７】
前記伸展装置は前記撮影空間と前記切換空間との間には前記伝動空間を貫通する回転スリーブが回転できるように設置され、前記伝動空間の中にある前記回転スリーブの外表面には第一傘歯車が固定的に設置され、前記伝動空間の中にある前記回転スリーブの外表面には第二歯車が固定的に設置され、前記伝動空間の上下左右端壁の中には前記ライトの端壁を貫通する四角形穴が設置され、前記四角形穴の中には前記スライド枠と固定的に連結されるスライドバーがスライドできるように設置され、前記スライドバーの中には第一ねじ穴が設置され、前記第一ねじ穴の中には第一ねじボルトがねじ山により係合し連結され、前記第一ねじボルトが回転ベアリングにより前記四角形穴の中に設置され、前記第一ねじボルトの末端には前記第一傘歯車と噛合する第二傘歯車が固定的に設置され、前記スライド枠の中には歯車溝が設置され、前記歯車溝の中にはねじ山スリーブが回転できるように設置され、前記ねじ山スリーブの外表面には前記ラックと噛合する第三歯車が固定的に設置され、前記ねじ山スリーブの中には左右を貫通する第二ねじ穴が設置され、前記第二ねじ穴の中には前記ライト板の右側端壁とヒンジにより連結される第二ねじボルトがねじ山により係合し連結され、前記スライド枠と前記ライト板との間には連結棒がヒンジにより連結される。
【０００８】
優選的には、前記挟み装置は前記撮影空間の中に前後に対称的に設置される挟みブロックを含み、前記挟みブロックと前記撮影空間の端壁との間には押圧ばねが弾力的に設置され、前記回転スリーブの中には抜き穴が設置され、前記抜き穴の中には第二回転軸が回転できるように設置され、前記第二回転軸の左側末端が前記撮影空間に插入され、またその末端には両面カムが固定的に設置され、前記第二回転軸の右側末端が前記切換空間に插入され、またその末端には第四歯車が固定的に設置される。
【０００９】
優選的には、前記動力切換装置は前記スライド空間の中にスライドできるように設置されるスライドブロックを含み、前記スライドブロックの左側端壁の中には第一モータが固定的に設置され、前記第一モータの出力軸の左側末端には前記第一歯車と噛合する第五歯車が固定的に設置され、前記スライドブロックと前記スライド空間の右側端壁との間にはリセット装置が設置され、前記スライド空間と前記カム空間との間には前記スライドブロックと固定的に連結されるスライドバーが設置され、前記動力空間の右側端壁の中には第二モータが固定的に設置され、前記第二モータの出力軸の左向き延伸末端には前記第二歯車と噛合する第六歯車が固定的に設置され、前記第二モータの出力軸の右向き延伸末端がカム空間に插入され、またその末端にはカムが固定的に設置される。
【発明の効果】
【００１０】
本発明の有益的な効果は：本発明のデュアルモード自撮りライトは全体構造がもっと合理で巧妙であり、使いやすく、撮影するときの単方向光補給を実現でき、またリング形光補給を行うこともでき、二つのモードを自由に切換し、機能性が強く、設備が単方向光補給を行うとき、光補給の角度を自動的に調整でき、撮影がもっと便利になり、使用の実用性を高め、高い使用と普及の価値がある。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１２】
【図１】図１は本発明のデュアルモード自撮りライトの全体構造の概略図である。
【図２】図２は図１のＡの拡大構造の概略図である。
【図３】図３は図１の右面図である。
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
下記に図１〜３をあわせて本発明について詳しく説明し、便利に説明するために、下記の方向を以下のように規定する：以下に述べる上下左右前後の方向と図１の自身投影関係の上下左右前後の方向とが一致である。
【００１５】
図１−３に示すように、本発明のデュアルモード自撮りライトは、ライト１０と前記ライト１０の下方に設置されるサポート柱３７を含み、前記ライト１０の中には揺動空間３６と撮影空間２９が設置され、前記ライト１０の左側には四つのライト板２４が分布され、前記撮影空間２９の中には挟み装置が設置され、前記撮影空間２９の上下前後には四つのスライド溝５０が対称的に設置され、前記スライド溝５０の端壁にはラック２１が固定的に設置され、前記スライド溝５０の中にはスライド枠２０がスライドできるように設置され、前記スライド枠２０には伸展装置が設置され、前記撮影空間２９の右側端壁の中には伝動空間３０が設置され、前記伝動空間３０の右側端壁の中には動力空間１５が設置され、前記動力空間１５の右側端壁の中には切換空間３５が設置され、前記切換空間３５の中には動力切換装置が設置され、前記切換空間３５の右側端壁の中にはスライド空間４８が連通設置され、前記スライド空間４８の頂壁の中にはカム空間１２が設置され、前記揺動空間３６の中には揺動装置が設置される。
【００１６】
下記に、図１−３を参考し本出願の前記揺動装置の具体的な構成を詳しく紹介し、その中には、前記揺動装置は前記揺動空間３６と前記切換空間３５との間には回転できるように設置されるウォーム４３を含み、前記切換空間３５の中にある前記ウォーム４３の外表面には第一歯車４２が固定的に設置され、前記揺動空間３６の中には第一回転軸３８が回転できるように設置され、前記第一回転軸３８の外表面には前記ウォーム４３と噛合するウォームホイール４０と、前記ウォームホイール４０の前側に位置する回転棒３９とが固定的に設置され、前記回転棒３９と、前記サポート柱３７の頂壁に固定的に設置される固定棒５１の末端とがヒンジにより連結され、前記固定棒５１の末端には前記ライト１０の底壁とヒンジにより連結されるヒンジ棒５２がヒンジにより連結される。
【００１７】
下記に、図１−３を参考し本出願の前記伸展装置の具体的な構成を詳しく紹介し、前記伸展装置は前記撮影空間２９と前記切換空間３５との間には前記伝動空間３０を貫通する回転スリーブ５３が回転できるように設置され、前記伝動空間３０の中にある前記回転スリーブ５３の外表面には第一傘歯車３２が固定的に設置され、前記伝動空間５０の中にある前記回転スリーブ５３の外表面には第二歯車３３が固定的に設置され、前記伝動空間３５の上下左右端壁の中には前記ライト１０の端壁を貫通する四角形穴１９が設置され、前記四角形穴１９の中には前記スライド枠２０と固定的に連結されるスライドバー１８がスライドできるように設置され、前記スライドバー１８の中には第一ねじ穴１７が設置され、前記第一ねじ穴１７の中には第一ねじボルト１６がねじ山により係合し連結され、前記第一ねじボルト１６が回転ベアリングにより前記四角形穴１９の中に設置され、前記第一ねじボルト１６の末端には前記第一傘歯車３２と噛合する第二傘歯車３１が固定的に設置され、前記スライド枠２０の中には歯車溝２２が設置され、前記歯車溝２２の中にはねじ山スリーブ２６が回転できるように設置され、前記ねじ山スリーブ２６の外表面には前記ラック２１と噛合する第三歯車２５が固定的に設置され、前記ねじ山スリーブ２６の中には左右を貫通する第二ねじ穴２７が設置され、前記第二ねじ穴２７の中には前記ライト板２４の右側端壁とヒンジにより連結される第二ねじボルト２８がねじ山により係合し連結され、前記スライド枠２０と前記ライト板２４との間には連結棒２３がヒンジにより連結される。
【００１８】
有益的には、図１−３に示すように、その中には、前記挟み装置は前記撮影空間２９の中に前後に対称的に設置される挟みブロック５７を含み、前記挟みブロック５７と前記撮影空間２９の端壁との間には押圧ばね５５が弾力的に設置され、前記回転スリーブ５３の中には抜き穴５４が設置され、前記抜き穴５４の中には第二回転軸５８が回転できるように設置され、前記第二回転軸５８の左側末端が前記撮影空間に插入され、またその末端には両面カム５６が固定的に設置され、前記第二回転軸５８の右側末端が前記切換空間３５に插入され、またその末端には第四歯車３４が固定的に設置される。
【００１９】
有益的には、図１−３に示すように、その中には、前記動力切換装置は前記スライド空間４８の中にスライドできるように設置されるスライドブロック４７を含み、前記スライドブロック４７の左側端壁の中には第一モータ４６が固定的に設置され、前記第一モータ４６の出力軸の左側末端には前記第一歯車４２と噛合する第五歯車４４が固定的に設置され、前記スライドブロック４７と前記スライド空間４８の右側端壁との間にはリセット装置が設置され、前記スライド空間４８と前記カム空間１２との間には前記スライドブロック４７と固定的に連結されるスライドバー４９が設置され、前記動力空間１５の右側端壁の中には第二モータ１３が固定的に設置され、前記第二モータ１３の出力軸の左向き延伸末端には前記第二歯車３３と噛合する第六歯車１４が固定的に設置され、前記第二モータ１３の出力軸の右向き延伸末端がカム空間１２に插入され、またその末端にはカム１１が固定的に設置される。
【００２０】
下記に、出願人は図１−３と上記の本出願の自撮りライトの具体的な構成を参考しその使用方法を詳しく紹介する：
【００２１】
本発明の設備を利用し片側光補給を行うとき、前記ライト板２４にあるランプを点灯し、前記第一モータ４６を始動し、前記第一モータ４６が回転し前記第五歯車４４を駆動し回転させ、これにより前記第一歯車４２、ウォーム４３、ウォームホイール４０及び第一回転軸３８を駆動し順次に回転させ、これにより前記回転棒３９を駆動し回転させ、前記回転棒３９が回転し前記ライトを駆動し上下に揺れ動かせ、これにより光補給の角度を調整する；
【００２２】
本発明の設備を利用しリング形の光補給を行うとき、前記第二モータ１３が起動されて回転しながら前記カム１１を駆動し回転させ、前記スライドバー４９が上に移動し前記スライドブロック４７を駆動し上に移動させ、前記第五歯車４４と前記第四歯車３４とが噛合し、同時に前記第二モータ１３が回転しながら前記第六歯車１４を駆動し回転させ、これにより前記第二歯車３３、回転スリーブ５３、第一傘歯車３２、第二傘歯車３１及び第一ねじボルト１６を駆動し回転させ、これにより前記スライド枠２０を駆動し周りに広げ、同時に前記第三歯車２５が前記スライド枠２０の移動に連れて回転し、これにより前記第二ねじボルト２８を駆動し右に移動させ、これにより前記ライト板２４を斜め状態に引っ張り、このとき前記撮影空間２９が伸び出し、前記第一モータ４６が起動され前記両面カム５６を駆動し回転させ、前記挟みブロック５７を駆動し逆方向に移動させ、このとき撮影器材を前記撮影空間２９の中に置き、前記第一モータ４６が起動され反転し、前記挟みブロック５７が前記撮影器材をしっかり固定し、このとき、ライト板２４にあるランプを点灯し、リング形ランプが分布される範囲内で撮影できる。
【００２３】
上記の詳細な分析から分かることは：本発明の設備が同じ動力源を利用し前記ライトを駆動し角度変更を行わせ、これによりライトの角度を調整でき、同時に当該動力源がまた撮影器材の挟み作業を完成でき、設備が二つの光補給モードの切換中に上記機能の切換を実現し、これにより構造がもっと簡単になる。
【００２４】
従って、本発明のデュアルモード自撮りライトは全体構造がもっと合理で巧妙であり、使いやすく、撮影するときの単方向光補給を実現でき、またリング形光補給を行うこともでき、二つのモードを自由に切換し、機能性が強く、設備が単方向光補給を行うとき、光補給の角度を自動的に調整でき、撮影がもっと便利になり、使用の実用性を高め、高い使用と普及の価値がある。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020154272.tif 000003
【図２】
2020154272.tif 000004
【図３】
2020154272.tif 000005
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
デュアルモード自撮りライトであって、ライトと前記ライトの下方に設置されるサポート柱を含み、前記ライトの中には揺動空間と撮影空間が設置され、前記ライトの左側には四つのライト板が分布され、前記撮影空間の中には挟み装置が設置され、前記撮影空間の上下前後には四つのスライド溝が対称的に設置され、前記スライド溝の端壁にはラックが固定的に設置され、前記スライド溝の中にはスライド枠がスライドできるように設置され、前記スライド枠には伸展装置が設置され、前記撮影空間の右側端壁の中には伝動空間が設置され、前記伝動空間の右側端壁の中には動力空間が設置され、前記動力空間の右側端壁の中には切換空間が設置され、前記切換空間の中には動力切換装置が設置され、前記切換空間の右側端壁の中にはスライド空間が連通設置され、前記スライド空間の頂壁の中にはカム空間が設置され、前記揺動空間の中には揺動装置が設置されており、
前記揺動装置は前記揺動空間と前記切換空間との間には回転できるように設置されるウォームを含み、前記切換空間の中にある前記ウォームの外表面には第一歯車が固定的に設置され、前記揺動空間の中には第一回転軸が回転できるように設置され、前記第一回転軸の外表面には前記ウォームと噛合するウォームホイールと、前記ウォームホイールの前側に位置する回転棒とが固定的に設置され、前記回転棒と、前記サポート柱の頂壁に固定的に設置される固定棒の末端とがヒンジにより連結され、前記固定棒の末端には前記ライトの底壁とヒンジにより連結されるヒンジ棒がヒンジにより連結されており、
前記伸展装置は前記撮影空間と前記切換空間との間には前記伝動空間を貫通する回転スリーブが回転できるように設置され、前記伝動空間の中にある前記回転スリーブの外表面には第一傘歯車が固定的に設置され、前記伝動空間の中にある前記回転スリーブの外表面には第二歯車が固定的に設置され、前記伝動空間の上下左右端壁の中には前記ライトの端壁を貫通する四角形穴が設置され、前記四角形穴の中には前記スライド枠と固定的に連結されるスライドバーがスライドできるように設置され、前記スライドバーの中には第一ねじ穴が設置され、前記第一ねじ穴の中には第一ねじボルトがねじ山により係合し連結され、前記第一ねじボルトが回転ベアリングにより前記四角形穴の中に設置され、前記第一ねじボルトの末端には前記第一傘歯車と噛合する第二傘歯車が固定的に設置され、前記スライド枠の中には歯車溝が設置され、前記歯車溝の中にはねじ山スリーブが回転できるように設置され、前記ねじ山スリーブの外表面には前記ラックと噛合する第三歯車が固定的に設置され、前記ねじ山スリーブの中には左右を貫通する第二ねじ穴が設置され、前記第二ねじ穴の中には前記ライト板の右側端壁とヒンジにより連結される第二ねじボルトがねじ山により係合し連結され、前記スライド枠と前記ライト板との間には連結棒がヒンジにより連結されており、
前記挟み装置は前記撮影空間の中に前後に対称的に設置される挟みブロックを含み、前記挟みブロックと前記撮影空間の端壁との間には押圧ばねが弾力的に設置され、前記回転スリーブの中には抜き穴が設置され、前記抜き穴の中には第二回転軸が回転できるように設置され、前記第二回転軸の左側末端が前記撮影空間に插入され、またその末端には両面カムが固定的に設置され、前記第二回転軸の右側末端が前記切換空間に插入され、またその末端には第四歯車が固定的に設置されており、
前記動力切換装置は前記スライド空間の中にスライドできるように設置されるスライドブロックを含み、前記スライドブロックの左側端壁の中には第一モータが固定的に設置され、前記第一モータの出力軸の左側末端には前記第一歯車と噛合する第五歯車が固定的に設置され、前記スライドブロックと前記スライド空間の右側端壁との間にはリセット装置が設置され、前記スライド空間と前記カム空間との間には前記スライドブロックと固定的に連結されるスライドバーが設置され、前記動力空間の右側端壁の中には第二モータが固定的に設置され、前記第二モータの出力軸の左向き延伸末端には前記第二歯車と噛合する第六歯車が固定的に設置され、前記第二モータの出力軸の右向き延伸末端がカム空間に插入され、またその末端にはカムが固定的に設置されており、
前記デュアルモード自撮りライトを利用し片側光補給を行うとき、前記ライト板にあるランプを点灯し、前記第一モータを始動し、前記第一モータが回転し前記第五歯車を駆動し回転させることで、前記第一歯車、ウォーム、ウォームホイール及び第一回転軸を駆動し順次に回転させ、それにより前記回転棒を駆動し回転させ、前記回転棒が回転し前記ライトを駆動し上下に揺れ動かせ、更に光補給の角度を調整でき、
前記デュアルモード自撮りライトを利用しリング形の光補給を行うとき、前記第二モータが起動されて回転しながら前記カムを駆動し回転させ、前記スライドバーが上に移動し前記スライドブロックを駆動し上に移動させ、前記第五歯車と前記第四歯車とが噛合し、同時に前記第二モータが回転しながら前記第六歯車を駆動し回転させ、これにより前記第二歯車、回転スリーブ、第一傘歯車、第二傘歯車及び第一ねじボルトを駆動し回転させ、更に前記スライド枠を駆動し周りに広げ、同時に前記第三歯車が前記スライド枠の移動に連れて回転し、更に前記第二ねじボルトを駆動し右に移動させ、更に前記ライト板を斜め状態に引っ張り、このとき前記撮影空間が伸び出し、前記第一モータが起動され前記両面カムを駆動し回転させ、前記挟みブロックを駆動し逆方向に移動させ、このとき撮影器材を前記撮影空間の中に置き、前記第一モータが起動され反転し、前記挟みブロックが前記撮影器材をしっかり固定し、このとき、ライト板にあるランプを点灯し、リング形ランプが分布される範囲内で撮影できることを特徴とするデュアルモード自撮りライト。